(57)【要約】【課題】電源受給器に接続された電源供給器が正規であるか否かを判別し、正規ではない電源供給器を排除できる電源認識装置及び電源認識システムを提供すること。【解決手段】電源受給器１１に電源供給器１が接続されると、電源供給器１の固有識別情報記憶回路２に記憶された第１の固有識別情報が、電源供給器１の通信回路３、電源受給器１１の通信回路１２を介して電源受給器１１の判別回路１４に入力される。判別回路１４では、第１の固有識別情報と、電源受給器１１の固有識別情報記憶回路１３に記憶された第２の固有識別情報とから電源供給器１が正規であるか否かが判定される。判別回路１４によって電源供給器１が正規でないと判定された場合には、電源制御回路１５によって電源供給器１からの電力の供給が遮断される。【選択図】図１
2006166657.tif 000002
【特許請求の範囲】
【請求項１】
電力を供給する電源供給器と、前記電源供給器に接続され前記電源供給器から供給される電力を使用する電源受給器との間で用いられる電源認識装置であって、
前記電源供給器に設けられ、該電源供給器自らを識別するための第１の固有識別情報を記憶する第１の記憶回路と、
前記第１の記憶回路に接続され、前記電源受給器との間で通信を行う第１の通信回路と、
前記電源受給器に設けられ、前記第１の通信回路との間で通信を行う第２の通信回路と、
前記電源受給器に設けられ、該電源受給器自らにとって正規の電源供給器を識別するための第２の固有識別情報を記憶する第２の記憶回路と、
前記第１の記憶回路から、前記第１の通信回路及び前記第２の通信回路を介して通信された前記第１の固有識別情報と前記第２の記憶回路に記憶された前記第２の固有識別情報とを比較することにより、前記電源受給器に接続された電源供給器が正規か否かを判別する判別回路と、
前記判別回路の判別結果が否のとき、前記電源供給器からの電力の供給を遮断する電源制御回路と、
を具備することを特徴とする電源認識装置。
【請求項２】
前記電源受給器は、前記第２の固有識別情報を前記第２の記憶回路に追記する固有識別情報記憶追記回路を更に有することを特徴とする請求項１に記載の電源認識装置。
【請求項３】
前記電源受給器は、前記固有識別情報記憶追記回路によって前記第２の固有識別情報を追記するのに先立って認証を行う認証回路を更に有することを特徴とする請求項２に記載の電源認識装置。
【請求項４】
当該電源供給器自らを識別するための第１の固有識別情報を記憶する第１の記憶回路と、前記第１の記憶回路に記憶された前記第１の固有識別情報を送る第１の通信回路と、を有する電源供給器と、
前記第１の通信回路から送られた前記第１の固有識別情報を受ける第２の通信回路と、当該電源受給器自らにとって正規の電源供給器を識別するための第２の固有識別情報を記憶する第２の記憶回路と、前記第２の通信回路で受けた前記第１の固有識別情報と前記第２の記憶回路に記憶された前記第２の固有識別情報とを比較することにより、前記電源供給器が正規か否かを判別する判別回路と、前記判別回路の判別結果が否のとき、前記電源供給器からの電力の供給を遮断する電源制御回路と、を有する電源受給器と、
を有することを特徴とする電源認識システム。
【発明の詳細な説明】
【技術分野】
【０００１】
本発明は、接続された電源が正規か否かを判別する電源認識装置及び電源認識システムに関する。
【背景技術】
【０００２】
従来、デジタルカメラや、ＰＤＡ、ノート型ＰＣ、携帯電話機、ＵＰＳ（無停電電源装置）などの機器は、内蔵の電源による電力供給のみだけではなく、外部からの電力供給を受けて動作したり、外部からの電力供給を受けて内蔵の電源の充電を行ったりすることができるようになっている。
【０００３】
このような外部からの電力供給を受けることが可能な機器（以下、このような機器を電源受給器と称する）に、電源を供給するための電源供給器を接続する際、その接続部が巧妙に模倣されていると、模造品などの品質が悪く正規ではないものであっても、電源受給器に電力が供給される。
【発明の開示】
【発明が解決しようとする課題】
【０００４】
しかしながら、模造品などの正規ではない電源供給器を用いた場合に、電源受給器に接続されている電源供給器が正常に動作しなかったり、電源供給器自体が破裂したり異常に発熱したりするなどの不具合を生じることがある。
【０００５】
本発明は、上記の事情に鑑みてなされたもので、電源受給器に接続された電源供給器が正規であるか否かを判別し、正規ではない電源供給器を排除できる電源認識装置及び電源認識システムを提供することを目的とする。
【課題を解決するための手段】
【０００６】
上記の目的を達成するために、本発明の第１の態様による電源認識装置は、電力を供給する電源供給器と、前記電源供給器に接続され前記電源供給器から供給される電力を使用する電源受給器との間で用いられる電源認識装置であって、前記電源供給器に設けられ、該電源供給器自らを識別するための第１の固有識別情報を記憶する第１の記憶回路と、前記第１の記憶回路に接続され、前記電源受給器との間で通信を行う第１の通信回路と、前記電源受給器に設けられ、前記第１の通信回路との間で通信を行う第２の通信回路と、前記電源受給器に設けられ、該電源受給器自らにとって正規の電源供給器を識別するための第２の固有識別情報を記憶する第２の記憶回路と、前記第１の記憶回路から、前記第１の通信回路及び前記第２の通信回路を介して通信された前記第１の固有識別情報と前記第２の記憶回路に記憶された前記第２の固有識別情報とを比較することにより、前記電源受給器に接続された電源供給器が正規か否かを判別する判別回路と、前記判別回路の判別結果が否のとき、前記電源供給器からの電力の供給を遮断する電源制御回路とを具備することを特徴とする。
【０００７】
また、上記の目的を達成するために、本発明の第２の態様による電源認識システムは、当該電源供給器自らを識別するための第１の固有識別情報を記憶する第１の記憶回路と、前記第１の記憶回路に記憶された前記第１の固有識別情報を送る第１の通信回路と、を有する電源供給器と、前記第１の通信回路から送られた前記第１の固有識別情報を受ける第２の通信回路と、当該電源受給器自らにとって正規の電源供給器を識別するための第２の固有識別情報を記憶する第２の記憶回路と、前記第２の通信回路で受けた前記第１の固有識別情報と前記第２の記憶回路に記憶された前記第２の固有識別情報とを比較することにより、前記電源供給器が正規か否かを判別する判別回路と、前記判別回路の判別結果が否のとき、前記電源供給器からの電力の供給を遮断する電源制御回路と、を有する電源受給器とを有することを特徴とする。
【０００８】
これら第１及び第２の態様によれば、電源供給器から入力された第１の固有識別情報と電源受給器内の第２の固有識別情報とから電源供給器が正規でないと判別された場合に、電源制御回路によって電源供給器からの電力の供給が遮断されるので、正規ではない電源供給器を排除することができる。
【発明の効果】
【０００９】
本発明によれば、電源受給器に接続された電源供給器が正規であるか否かを判別し、正規ではない電源供給器を排除できる電源認識装置及び電源認識システムを提供することができる。
【発明を実施するための最良の形態】
【００１０】
以下、図面を参照して本発明の実施形態を説明する。  
図１は、本発明の一実施形態に係る電源認識システムの全体構成図である。ここで、本電源認識システムは、電源受給器１１に電力を供給する電源供給器１と、電源供給器１からの電力を受ける電源受給器１１とから構成されている。
【００１１】
まず、電源供給器１から説明する。ここで、電源供給器１は、バッテリ、電池、充電器などを想定している。即ち、電源供給器１は、電源受給器１１に電気的に接続できるものであれば、電源受給器１１の外部に装着するタイプの電源供給器でも、電源受給器１１の内部に装填するタイプの電源供給器でも構わない。
【００１２】
図１に示すように、電源供給器１は、固有識別情報記憶回路２と、通信回路３と、充放電制御回路４と、電源電池５とから構成されている。
【００１３】
第１の記憶回路としての固有識別情報記憶回路２は、電源供給器１自体を識別するための第１の固有識別情報を記憶している。ここで、固有識別情報記憶回路２の構成は、電源受給器１１側で読み取れるものであれば特に限定されるものではない。例えば、固有識別情報記憶回路２はＩＣチップなどで構成できる。また、バーコードなどを固有識別情報記憶回路２としても良い。
【００１４】
また、第１の通信回路としての通信回路３は、固有識別情報記憶回路２に記憶された第１の固有識別情報を電源受給器１１に送る。また、通信回路３は、充放電制御回路４を介して電源電池５から供給される電力を電源受給器１１に送ることも行う。ここで、固有識別情報記憶回路２にバーコードやＲＦＩＤを利用するような場合には、それら自体が通信回路３としての機能も含む。そこで、この場合には、電源供給用の通信回路だけを設ければ良い。
【００１５】
また、充放電制御回路４は、電源供給器１の未使用時に電源電池５を放電したり、電源供給器１が別の充電器に接続されたときに電源電池５を充電したりする際の制御を行う。
【００１６】
次に、電源受給器１１について説明する。ここで、電源受給器１１は、電源供給器１と電気的に接続可能であり、電源供給器１を電力供給に用いるものであれば特に限定されるものではない。この電源受給器１１としては、例えばデジタルカメラ、ＰＤＡ、ノート型ＰＣ、携帯電話機、ＵＰＳなどが挙げられる。
【００１７】
図１に示すように、電源受給器１１は、通信回路１２と、固有識別情報記憶回路１３と、判別回路１４と、電源制御回路１５と、固有識別情報記憶追記回路１６と、認証回路１７とから構成されている。
【００１８】
第２の通信回路としての通信回路１２は、電源受給器１１の通信回路３を介して送られてきた第１の固有識別情報を受ける回路である。ここで、通信回路１２は、電源受給器１１の通信回路３を介して送られた第１の固有識別情報を読み取れるものであれば、任意に決定することができる。例えば、電源受給器１１の固有識別情報記憶回路２にバーコードが利用されているような場合には、バーコード化された第１の固有識別情報を読み取るための読み取り回路が通信回路１２となる。また、電源受給器１１の固有識別情報記憶回路２にＲＦＩＤが利用されているような場合には、固有識別情報記憶回路２から無線送信された第１の固有識別情報を受信する受信回路が通信回路１２となる。
【００１９】
また、第２の記憶回路としての固有識別情報記憶回路１３は、電源受給器１１にとって電源供給器１が正規であるか否かを識別するための第２の固有識別情報を記憶している。ここで、固有識別情報記憶回路１３には、例えばＥＥＰＲＯＭなどのメモリを利用することができる。
【００２０】
判別回路１４は、電源供給器１から第１の固有識別情報が入力されたか否かを判断し、第１の固有識別情報が入力された場合には、その入力された第１の固有識別情報と固有識別情報記憶回路１３に記憶された第２の固有識別情報とから電源供給器１が正規であるか否かを判別する。そして、その判別結果を電源制御回路１５に通知する。
【００２１】
電源制御回路１５は、判別回路１４から通知された判別結果に基づいて電源受給器１１内の各回路への電力供給を制御する。即ち、判別回路１４における判別の結果、電源供給器１が不正規品であると判別された場合に、電源制御回路１５は、電源受給器１１内の各回路への電力供給を遮断するように制御する。
【００２２】
固有識別情報記憶追記回路１６は、電源受給器１１内の固有識別情報記憶回路１３に新たな第２の固有識別情報を追記する回路である。これにより、電源受給器１１で使用可能な電源供給器の種類を増加させることができる。
【００２３】
認証回路１７は、特定の利用者のみが固有識別情報記憶追記回路１６による第２の固有識別情報の追記を行えるように、利用者の認証を行う回路である。この認証回路１７は、予め設定された認証情報（パスワードなど）を記憶しておくための認証情報記憶回路１７ａと、利用者が認証情報を入力するための認証情報入力回路１７ｂと、認証情報入力回路１７ｂを介して入力された認証情報が認証情報記憶回路１７ａに記憶された認証情報と合致したか否かを判別する認証情報判別回路１７ｃとから構成されている。ここで、認証回路１７における認証は、パスワード認証に限定されるものではない。
【００２４】
以下、図１のような構成を有する電源認識システムの作用について図２のフローチャートを参照して説明する。
【００２５】
利用者によって電源受給器１１に電源供給器１が接続されると、電源受給器１１の通信回路１２によって電源供給器１の固有識別情報記憶回路２に記憶された第１の固有識別情報が読み取られる（ステップＳ１１）。この第１の固有識別情報は、通信回路１２から電源受給器１１の判別回路１４に入力される。第１の固有識別情報が入力された場合に、判別回路１４では、入力された第１の固有識別情報と固有識別情報記憶回路１３に記憶された第２の固有識別情報とが照合され、入力された第１の固有識別情報が第２の固有識別情報に登録されているか否かが判別されることにより、電源供給器１が正規であるか否かが判別される（ステップＳ１２）。
【００２６】
ステップＳ１２において、電源供給器１が正規でないと判別された場合には、電源制御回路１５によって電源供給器１からの電力供給が遮断され（ステップＳ１３）、フローチャートの処理が終了する。この場合には、電源受給器１１は使用不能状態となる。
【００２７】
一方、ステップＳ１２において、電源供給器１が正規であると判別された場合には、電源制御回路１５によって電源供給器１からの電力供給が維持され（ステップＳ１４）、フローチャートの処理が終了する。この場合には、電源受給器１１は使用可能状態となる。
【００２８】
以上説明したように、本一実施形態によれば、電源受給器において電源供給器を使用する際に正規ではない電源供給器を識別排除することによって、電源受給器の不正常動作、破裂や異常発熱などの不具合を防止することができる。
【００２９】
以上実施形態に基づいて本発明を説明したが、本発明は上記した実施形態に限定されるものではなく、本発明の要旨の範囲内で種々の変形や応用が可能なことは勿論である。
【００３０】
例えば、電源供給器１がバッテリの場合には、このバッテリを別の電源供給器（例えば充電器など）に接続して充電を行うなども考えられる。このような場合、図１の電源供給器１の内部にも電源受給器１１の構成を設けておくことにより、上記したのと同様に不正規な電源供給器を識別排除することができる。このように、図１の電源供給器１の構成と電源受給器１１の構成とは必ずしも別体とする必要はない。
【００３１】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００３２】
【図１】本発明の一実施形態に係る電源認識システムの全体的な構成について示す図である。
【図２】本発明の一実施形態に係る電源認識システムの作用について示すフローチャートである。
【符号の説明】
【００３３】
１…電源供給器、２…固有識別情報記憶回路、３…通信回路、４…充放電制御回路、５…電源電池、１１…電源受給器、１２…通信回路、１３…固有識別情報記憶回路、１４…判別回路、１５…電源制御回路、１６…固有識別情報記憶追記回路、１７…認証回路、１７ａ…認証情報記憶回路、１７ｂ…認証情報入力回路、１７ｃ…認証情報判別回路
【図１】
2006166657.tif 000003
【図２】
2006166657.tif 000004